(57)【要約】【課題】波長の短いレーザ光については、光記録媒体に到達するまでの反射回数を最小回数に止めることのできる光ヘッド装置、およびその製造方法を提供すること。【解決手段】光ヘッド装置１において、光学系は、第１のレーザ光Ｌ１を出射するＤＶＤ用の第１のレーザ発光素子４と、第２のレーザ光Ｌ２を出射するＣＤ用の第２のレーザ発光素子５とを備えている。波長の短い第１のレーザ光Ｌ１の方については光路合成用のプリズム６の部分反射面６０を透過させて共通光路１０に導き、波長の長い第２のレーザ光Ｌ２についてはプリズム６の部分反射面６０で反射させて共通光路１０に導く。【選択図】　　　図１
2004014008.tif 000002
【特許請求の範囲】
【請求項１】
第１のレーザ光を出射する第１のレーザ発光素子と、前記第１のレーザ光よりも波長の長い第２のレーザ光を出射する第２のレーザ発光素子と、前記第１および第２のレーザ発光素子から出射された前記第１のレーザ光および前記第２のレーザ光を共通光路に導く光路合成素子と、スピンドルモータによって回転駆動された光記録媒体から前記共通光路を介して通ってくる戻り光が光路分離素子を介して導かれてくる受光素子と、前記第１のレーザ発光素子、前記第２のレーザ発光素子、前記光路合成素子、前記光路分離素子、および前記受光素子が搭載されたフレームとを有する光ヘッド装置において、
前記第１のレーザ発光素子および前記第２のレーザ発光素子は、前記第１のレーザ光が前記光路合成素子の部分反射面を透過して前記共通光路に導かれ、前記第２のレーザ光が前記光路合成素子の前記部分反射面を反射して前記共通光路に導かれるように配置されていることを特徴とする光ヘッド装置。
【請求項２】
請求項１において、前記第１のレーザ発光素子はＤＶＤ用であり、前記第２のレーザ発光素子はＣＤおよびＣＤ−Ｒ用であることを特徴とする光ヘッド装置の製造方法。
【請求項３】
請求項１または２において、前記第１のレーザ発光素子から前記光路合成素子を透過して光記録媒体に至る前記第１のレーザ光の光路を挟む両側のうち、一方側に前記第２のレーザ発光素子が配置され、他方側に前記スピンドルモータが配置されていることを特徴とする光ヘッド装置。
【請求項４】
請求項１ないし３のいずれかに規定する光ヘッド装置の製造方法において、前記フレームに前記第１のレーザ発光素子を搭載した後、前記スピンドルモータによって光記録媒体を回転駆動しながら前記第１のレーザ発光素子から前記第１のレーザ光を出射させてその戻り光を前記受光素子でモニターし、そのモニター結果に基づいて、前記受光素子を位置調整して前記フレームに搭載し、
次に、前記スピンドルモータによって光記録媒体を回転駆動しながら前記第２のレーザ発光素子から前記第２のレーザ光を出射させてその戻り光を前記受光素子でモニターし、そのモニター結果に基づいて、前記第２のレーザ発光素子を位置調整して前記フレームに搭載することを特徴とする光ヘッド装置の製造方法。
【発明の詳細な説明】
【０００１】
【発明の属する技術分野】
本発明は、フレーム上に２種類のレーザ発光素子が搭載された光ヘッド装置、およびその製造方法に関するものである。
【０００２】
【従来の技術】
光記録媒体としては、基板厚さ、記録密度等の記録形態が異なる、ＣＤ、ＣＤ−Ｒ、およびＤＶＤ等が知られている。これらの光記録媒体のうち、高密度記録可能なＤＶＤに対して記録、再生を行うには、波長６５０ｎｍあるいは６３５ｎｍの短波長レーザ光が使用される一方、ＣＤやＣＤＲに対して記録、再生を行うには７６０〜８００ｎｍの長波長レーザ光を使用するのが一般的である。このため、ＣＤ、ＣＤ−ＲおよびＤＶＤの双方を１台の光ヘッド装置で処理するためには、短波長レーザ光である第１のレーザ光を出射可能な第１のレーザ発光素子と、長波長レーザ光である第２のレーザ光を出射可能な第２のレーザ発光素子の２種類のレーザ光源をフレームに搭載しておく必要がある。
【０００３】
但し、２系統の個別独立の光学系を用いると、単一光源で単一の光学系を備えたものに比べて当然に数多くの光学部品を必要とするため、装置が大型化するとともに、価格も上昇してしまう。そこで、部分反射面を備えたプリズムなどの光路合成素子によって、光記録媒体に向かう第１のレーザ光と第２のレーザ光の光路を合成した構成が採用されている。
【０００４】
例えば、図４に示す光ヘッド装置は、第１のレーザ光Ｌ１（短波長レーザ光）を出射するＤＶＤ用の第１のレーザ発光素子４と、第２のレーザ光Ｌ２（長波長レーザ光）を出射するＣＤ用の第２のレーザ発光素子５とを備えており、ＣＤの再生時あるいはＣＤ−Ｒの記録時に、第２のレーザ発光素子５から出射された第２のレーザ光Ｌ２は、グレーティング１１によって３ビームに分割された後、プリズム７の部分反射面７０を透過して第２のプリズム６に導かれ、その一部がプリズム６の部分反射面６０で反射されて共通のモニター用受光素子３に向かう一方、残りが部分反射面６０を透過して共通光路１０上のコリメートレンズ１２に向かう。そして、コリメートレンズ１２で平行光化された後、立ち上げミラー９で対物レンズ１３に導かれる。
【０００５】
これに対して、ＤＶＤの記録時あるいは再生時に、第１のレーザ発光素子４から出射された第１のレーザ光Ｌ１は、一部がプリズム６の部分反射面６０を透過して共通のモニター用受光素子３に向かう一方、残りが部分反射面６０で反射して共通光路１０上のコリメートレンズ１２に向かう。そして、コリメートレンズ１２で平行光化された後、立ち上げミラー９で対物レンズ１３に導かれる。
【０００６】
そして、第１のレーザ光Ｌ１および第２のレーザ光Ｌ２のいずれにおいても、光記録媒体からの戻り光は、対物レンズ１３、立ち上げミラー９、コリメートレンズ１２、プリズム６を経てプリズム７に入射し、一部がプリズム７の部分反射面７０で反射して受光素子２に導かれる。
【０００７】
【発明が解決しようとする課題】
しかしながら、図４に示す光ヘッド装置では、第１のレーザ光Ｌ１は、光記録媒体に到達するまでに、プリズム６の部分反射面６０での反射と、立ち上げミラー９での反射とが行われる。ここで、反射という現象は、反射面精度の２倍の波面収差が起こるため、収差性能が低下する原因となる。また、ここで生じる収差は、非点収差が主であり、光記録媒体におけるＷｏｂｂｌｅ信号やＡｄｄｅｓｓ信号が劣化する原因となる。さらに、レーザ光が発散光になっている部分に反射面を置くことはミラー反射の角度依存性という面から光量分布が偏る原因となる。しかも、ＤＶＤなど高密度記録を行うのに用いられる波長の短いレーザ光は、収差などの影響が出やすい傾向にある。
【０００８】
以上の問題点に鑑みて、本発明の課題は、波長の短いレーザ光については、光記録媒体に到達するまでの反射回数を最小回数に止めることのできる光ヘッド装置、およびその製造方法を提供することにある。
【０００９】
【課題を解決するための手段】
上記課題を解決するため、本発明では、第１のレーザ光を出射する第１のレーザ発光素子と、前記第１のレーザ光よりも波長の長い第２のレーザ光を出射する第２のレーザ発光素子と、前記第１および第２のレーザ発光素子から出射された前記第１のレーザ光および前記第２のレーザ光を共通光路に導く光路合成素子と、スピンドルモータによって回転駆動された光記録媒体から前記共通光路を介して通ってくる戻り光が光路分離素子を介して導かれてくる受光素子と、前記第１のレーザ発光素子、前記第２のレーザ発光素子、前記光路合成素子、前記光路分離素子、および前記受光素子が搭載されたフレームとを有する光ヘッド装置において、前記第１のレーザ発光素子および前記第２のレーザ発光素子は、前記第１のレーザ光が前記光路合成素子の部分反射面を透過して前記共通光路に導かれ、前記第２のレーザ光が前記光路合成素子の前記部分反射面を反射して前記共通光路に導かれるように配置されていることを特徴とする。
【００１０】
本発明では、第１のレーザ光および第２のレーザ光のうち、波長の短い第１のレーザ光については光路合成素子の部分反射面を透過させて共通光路に導き、波長の長い第２のレーザ光については光路合成素子の部分反射面で反射させて共通光路に導いている。このため、反射による収差の影響が出やすい第１のレーザ光については、第２のレーザ光よりも少ない反射回数で光記録媒体にスポットを形成するので、収差などの影響を抑えることができる。
【００１１】
本発明において、前記第１のレーザ発光素子はＤＶＤ用であり、前記第２のレーザ発光素子はＣＤおよびＣＤ−Ｒ用である。
【００１２】
本発明において、前記第１のレーザ発光素子から前記光路合成素子を透過して光記録媒体に至る前記第１のレーザ光の光路を挟む両側のうち、一方側に前記第２のレーザ発光素子が配置され、他方側に前記スピンドルモータが配置されていることが好ましい。
【００１３】
本発明に係る光ヘッド装置を製造する際には、まず、前記フレームに前記第１のレーザ発光素子を搭載した後、前記スピンドルモータによって光記録媒体を回転駆動しながら前記第１のレーザ発光素子から前記第１のレーザ光を出射させてその戻り光を前記受光素子でモニターし、そのモニター結果に基づいて、前記受光素子を位置調整して前記フレームに搭載し、次に、前記スピンドルモータによって光記録媒体を回転駆動しながら前記第２のレーザ発光素子から前記第２のレーザ光を出射させてその戻り光を前記受光素子でモニターし、そのモニター結果に基づいて、前記第２のレーザ発光素子を位置調整して前記フレームに搭載する。
【００１４】
従って、高密度記録用の第１のレーザ光の方を優先して受光素子の位置調整を行うことができる。
【００１５】
ここで、前記第１のレーザ発光素子から前記光路合成素子を透過して光記録媒体に至る前記第１のレーザ光の光路を挟む両側のうち、一方側に前記第２のレーザ発光素子が配置され、他方側に前記スピンドルモータが配置されていることが好ましい。第１のレーザ発光素子をフレームに搭載する際にはスピンドルモータで記録媒体を回転させる必要はないが、第２のレーザ発光素子をフレームに搭載する際には、その位置調整のためにスピンドルモータで記録媒体を回転させる必要がある。しかるに本発明のように、第２のレーザ発光素子とスピンドルモータとを光路を挟む反対側に配置しておけば、第２のレーザ発光素子の位置調整行う際、スピンドルモータおよび光記録媒体が邪魔にならない。
【００１６】
【発明の実施の形態】
以下に図面を参照して本発明を適用した光ヘッド装置を説明する。
【００１７】
［実施の形態１］
図１は、本発明の実施の形態１に係る光ヘッド装置の要部の構成図である。
【００１８】
図１において、本形態の光ヘッド装置１は、ＣＤ、ＣＤ−Ｒ、およびＤＶＤの記録再生を行うためのものであり、フレーム（図示せず）には、以下に説明する光学系が構成されている。
【００１９】
本形態の光ヘッド装置１において、光学系は、第１のレーザ光Ｌ１（短波長レーザ光）を出射する第１のレーザ発光素子４と、第２のレーザ光Ｌ２（長波長レーザ光）を出射する第２のレーザ発光素子５とを備えている。ＤＶＤ用レーザ発光素子４はＤＶＤの記録再生用であり、波長６５０ｎｍあるいは６３５ｎｍの第１のレーザ光Ｌ１を出射する。一方、ＣＤ用レーザ発光素子５は、ＣＤおよびＣＤ−Ｒの記録再生用であり、波長７８０〜８００ｎｍの第２のレーザ光Ｌ２を出射する。
【００２０】
この光ヘッド装置１において、第１のレーザ発光素子４の出射光軸に沿っては、プリズム７、プリズム６、コリメートレンズ１２、立ち上げミラー９がこの順に配置され、立ち上げミラー９の上方に対物レンズ１３が配置されている。ここで、プリズム６、コリメートレンズ１２、立ち上げミラー９、対物レンズ１３は、第１のレーザ光Ｌ１、および第２のレーザ光に対する共通光路１０を構成している。
【００２１】
本形態において、プリズム６は、部分反射面６０が第１のレーザ発光素子４の出射光軸に対して４５度傾斜した状態となるように配置された光路合成素子であり、プリズム６において部分反射面６０で直角に折り曲げられた光路上には、グレーティング１１、および第２のレーザ発光素子５が配置されている。グレーティング１１は、所定の回折特性が付与されており、第２のレーザ発光素子５から出射された第２のレーザ光Ｌ２を３ビームに分割することにより、周知の３ビーム法またはＤＰＰ法によってトラッキングエラー検出を可能としている。
【００２２】
また、プリズム６に対して、第２のレーザ発光素子５とは反対側には共通のモニター用受光素子３が配置されている。
【００２３】
これに対して、プリズム７は、部分反射面７０が光記録媒体からの戻り光Ｌｒの光軸に対して４５度傾斜した状態となるように配置された光路分離素子であり、プリズム７において部分反射面７０で直角に折り曲げられた光路上に受光素子２が配置されている。
【００２４】
また、本形態の光ヘッド装置１では、第１のレーザ発光素子４からプリズム６を透過して光記録媒体に至る第１のレーザ光Ｌ１の光路を挟む両側のうち、一方側に第２のレーザ発光素子４が配置され、他方側に光記録媒体を回転駆動するスピンドルモータ２０が配置されている。
【００２５】
このように構成した光ヘッド装置１において、ＤＶＤの再生あるいは記録時には、第１のレーザ発光素子４から出射された第１のレーザ光Ｌ１は、プリズム７の部分反射面７０を透過して第２のプリズム６に導かれ、その一部がプリズム６の部分反射面６０で反射されて共通のモニター用受光素子３に向かう一方、残りが部分反射面６０を透過して共通光路１０上のコリメートレンズ１２に向かう。そして、コリメートレンズ１２で平行光化された後、立ち上げミラー９で対物レンズ１３に導かれる。
【００２６】
これに対して、ＣＤの再生あるいはＣＤ−Ｒの記録時には、第２のレーザ発光素子５から出射された第２のレーザ光Ｌ２は、グレーティング１１で３ビームに分割された後、プリズム６に入射し、その一部が部分反射面６０を透過して共通のモニター用受光素子３に向かう一方、残りが部分反射面６０で反射して共通光路１０上のコリメートレンズ１２に向かう。そして、コリメートレンズ１２で平行光化された後、立ち上げミラー９で対物レンズ１３に導かれる。
【００２７】
そして、ＤＶＤの再生時、あるいはＣＤの再生時、第１のレーザ光Ｌ１および第２のレーザ光Ｌ２のいずれにおいても、光記録媒体からの戻り光は、対物レンズ１３、立ち上げミラー９、コリメートレンズ１２、プリズム６を経てプリズム７に入射し、一部がプリズム７の部分反射面７０で反射して受光素子２に導かれる。
【００２８】
このように、本形態の光ヘッド装置１では、第１のレーザ光Ｌ１および第２のレーザ光Ｌ２のうち、波長の短い第１のレーザ光Ｌ１については光路合成用のプリズム６の部分反射面６０を透過させて共通光路１０に導き、波長の長い第２のレーザ光Ｌ２については光路合成用のプリズム６の部分反射面６０で反射させて共通光路１０に導いている。このため、反射による収差の影響が出やすい第１のレーザ光Ｌ１については、第２のレーザ光Ｌ２よりも少ない反射回数で光記録媒体にスポットを形成するので、反射による収差などの影響を抑えることができる。
【００２９】
このような構成の光ヘッド装置１を製造する際には、まず、フレームに第１のレーザ発光素子４を搭載した後、スピンドルモータ２０によって光記録媒体を回転駆動しながら第１のレーザ発光素子４から第１のレーザ光Ｌ１を出射させてその戻り光を受光素子２でモニターし、そのモニター結果に基づいて、受光素子２を位置調整してフレームに搭載する。
【００３０】
次に、スピンドルモータ２０によって光記録媒体を回転駆動しながら第２のレーザ発光素子５から第２のレーザ光Ｌ２を出射させてその戻り光を受光素子２でモニターし、そのモニター結果に基づいて、第２のレーザ発光素子２を位置調整してフレームに搭載する。
【００３１】
従って、本形態によれば、高密度記録用の第１のレーザ光Ｌ１の方を優先して受光素子２の位置調整を行うことができる。
【００３２】
また、第１のレーザ発光素子４をフレームに搭載する際にはスピンドルモータ２０で記録媒体を回転させる必要がないが、第２のレーザ発光素子５をフレームに搭載する際には、その位置調整のためにスピンドルモータ２０で記録媒体を回転させる必要がある。しかるに本形態のように、第２のレーザ発光素子５とスピンドルモータ２０とを光路を挟む反対側に配置しておけば、第２のレーザ発光素子５の位置調整行う際、スピンドルモータ２０および光記録媒体が邪魔にならないという利点がある。
【００３３】
［実施例１の変形例］
図２には、実施の形態１の構成を一部変えて、第１のレーザ発光素子４から記録媒体に向かって、プリズム７、プリズム６、コリメートレンズ１２、および対物レンズ１３を上下方向に配置して、立ち上げミラーを省略した例を示してある。その他の構成、例えば、第２のレーザ発光素子５、グレーティング１１、信号検出用の受光素子２、および共通のモニター用受光素子３のレイアウトについては実施の形態１と同様であるため、説明を省略する。
【００３４】
このように構成した光ヘッド装置１でも、第１のレーザ光Ｌ１および第２のレーザ光Ｌ２のうち、波長の短い第１のレーザ光Ｌ１については光路合成用のプリズム６の部分反射面６０を透過させて共通光路１０に導き、波長の長い第２のレーザ光Ｌ２については光路合成用のプリズム６の部分反射面６０で反射させて共通光路１０に導いている。このため、反射による収差の影響が出やすい第１のレーザ光Ｌ１については、第２のレーザ光Ｌ２よりも少ない反射回数で光記録媒体にスポットを形成するので、反射による収差などの影響を抑えることができる。
【００３５】
また、図１に示す例と違って、立ち上げミラーを用いないので、第１のレーザ光Ｌ１および第２のレーザ光Ｌ２のいずれにおいても反射回数が少ないので、反射による収差などの影響をより確実に抑えることができる。
【００３６】
［実施の形態２］
図３は、本発明の実施の形態２に係る光ヘッド装置の要部の構成図である。
【００３７】
図３において、本形態の光ヘッド装置も、ＣＤ、ＣＤ−Ｒ、およびＤＶＤの記録再生を行うためのものであり、光学系は、第１のレーザ光Ｌ１（短波長レーザ光）を出射するＤＶＤ用の第１のレーザ発光素子４（第１のレーザ光源）と、第２のレーザ光Ｌ２（長波長レーザ光）を出射するＣＤ用の第２のレーザ発光素子５（第２のレーザ光源）とを備えている。
【００３８】
また、第１のレーザ発光素子４の出射光軸に沿っては、プリズム６、コリメートレンズ１２、立ち上げミラー９がこの順に配置され、立ち上げミラー９の上方に対物レンズ１３が配置されている。ここで、プリズム６、コリメートレンズ１２、立ち上げミラー９、対物レンズ１３は、第１のレーザ光Ｌ１、および第２のレーザ光に対する共通光路１０を構成している。
【００３９】
本形態において、プリズム６は、部分反射面６０が第１のレーザ発光素子４の出射光軸に対して４５度傾斜した状態となるように配置された光路合成素子であり、プリズム６において部分反射面６０で直角に折り曲げられた光路上には、４５°傾いた向きで光路分離素子としてのハーフミラー７′が配置されている。
【００４０】
この光路において、ハーフミラー７′の延長上には信号検出用の受光素子２が配置され、ハーフミラー７′の側方に、グレーティング１１および第２のレーザ発光素子５が配置されている。ハーフミラー７′は、部分反射面７０′が光記録媒体からの戻り光Ｌｒの光軸、および第２のレーザ発光素子５の出射光軸に対して４５度傾斜した状態となるように配置された光路分離素子である。
【００４１】
また、プリズム６に対して、受光素子２や第２のレーザ発光素子５とは反対側には共通のモニター用受光素子３が配置されている。
【００４２】
また、本形態でも、実施の形態１と同様、第１のレーザ発光素子４からプリズム６を透過して光記録媒体に至る第１のレーザ光Ｌ１の光路を挟む両側のうち、一方側に第２のレーザ発光素子４や受光素子２が配置され、他方側に光記録媒体を回転駆動するスピンドルモータ２０が配置されている。
【００４３】
このように構成した光ヘッド装置１において、ＤＶＤの再生あるいは記録時には、第１のレーザ発光素子４から出射された第１のレーザ光Ｌ１は、一部がプリズム６の部分反射面６０で反射されて共通のモニター用受光素子３に向かう一方、残りが部分反射面６０を透過して共通光路１０上のコリメートレンズ１２に向かう。そして、コリメートレンズ１２で平行光化された後、立ち上げミラー９で対物レンズ１３に導かれる。
【００４４】
これに対して、ＣＤの再生あるいはＣＤ−Ｒの記録時には、第２のレーザ発光素子５から出射された第２のレーザ光Ｌ２は、グレーティング１１で３ビームに分割された後、ハーフミラー７′の部分反射面７０′で反射してプリズム６に入射し、その一部が部分反射面６０を透過して共通のモニター用受光素子３に向かう一方、残りが部分反射面６０で反射して共通光路１０上のコリメートレンズ１２に向かう。そして、コリメートレンズ１２で平行光化された後、立ち上げミラー９で対物レンズ１３に導かれる。
【００４５】
そして、ＤＶＤの再生時あるいはＣＤの再生時、第１のレーザ光Ｌ１および第２のレーザ光Ｌ２のいずれにおいても、光記録媒体からの戻り光Ｌｒは、対物レンズ１３、立ち上げミラー９、コリメートレンズ１２、プリズム６を経てハーフミラー７′に入射し、一部がハーフミラー７′の部分反射面７０′を透過してして受光素子２に導かれる。
【００４６】
このように本形態の光ヘッド装置１でも、第１のレーザ光Ｌ１および第２のレーザ光Ｌ２のうち、波長の短い第１のレーザ光Ｌ１については光路合成用のプリズム６の部分反射面６０を透過させて共通光路１０に導き、波長の長い第２のレーザ光Ｌ２については光路合成用のプリズム６の部分反射面６０で反射させて共通光路１０に導いている。このため、反射による収差の影響が出やすい第１のレーザ光Ｌ１については、第２のレーザ光Ｌ２よりも少ない反射回数で光記録媒体にスポットを形成するので、反射による収差などの影響を抑えることができる。
【００４７】
本形態の光ヘッド装置１を製造する際も、フレームに第１のレーザ発光素子４を搭載した後、スピンドルモータ２０によって光記録媒体を回転駆動しながら第１のレーザ発光素子４から第１のレーザ光Ｌ１を出射させてその戻り光を受光素子２でモニターし、そのモニター結果に基づいて、受光素子２を位置調整してフレームに搭載する。
【００４８】
次に、スピンドルモータ２０によって光記録媒体を回転駆動しながら第２のレーザ発光素子５から第２のレーザ光Ｌ２を出射させてその戻り光を受光素子２でモニターし、そのモニター結果に基づいて、第２のレーザ発光素子２を位置調整してフレームに搭載する。
【００４９】
従って、本形態によれば、高密度記録用の第１のレーザ光Ｌ１の方を優先して受光素子２の位置調整を行うことができる。また、第１のレーザ発光素子４をフレームに搭載する際にはスピンドルモータ２０で記録媒体を回転させる必要がないが、第２のレーザ発光素子５をフレームに搭載する際には、その位置調整のためにスピンドルモータ２０で記録媒体を回転させる必要がある。しかるに、本形態のように、第２のレーザ発光素子５とスピンドルモータ２０とを光路を挟む反対側に配置しておけば、第２のレーザ発光素子５の位置調整行う際、スピンドルモータ２０および光記録媒体が邪魔にならないという利点がある。
【００５０】
［その他の実施の形態］
なお、上記形態では、光路分離用にプリズムやハーフミラーを用いた例を示したが、ホログラム素子を用いた光ヘッド装置などに対して本発明を適用してもよい。
【００５１】
【発明の効果】
以上説明したように、本発明では、第１のレーザ光および第２のレーザ光のうち、波長の短い第１のレーザ光については光路合成素子の部分反射面を透過させて共通光路に導き、波長の長い第２のレーザ光については光路合成素子の部分反射面で反射させて共通光路に導いている。このため、反射による収差の影響が出やすい第１のレーザ光については、第２のレーザ光よりも少ない反射回数で光記録媒体にスポットを形成するので、収差などの影響を抑えることができる。
【図面の簡単な説明】
【図１】本発明の実施の形態１に係る光ヘッド装置の要部の構成図である。
【図２】本発明の実施の形態１の変形例に係る光ヘッド装置の要部の構成図である。
【図３】本発明の実施の形態２に係る光ヘッド装置の要部の構成図である。
【図４】従来の光ヘッド装置の要部の構成図である。
【符号の説明】
１　光ヘッド装置
２　信号検出用の受光素子
３　モニター用受光素子
４　ＤＶＤ用の第１のレーザ発光素子（第１のレーザ光源）
５　ＣＤ用の第２のレーザ発光素子（第２のレーザ光源）
６　プリズム（光路合成素子）
７　プリズム（光路分離素子）
７′　ハーフミラー（光路分離素子）
９　立ち上げミラー
１０　共通光路
１１　グレーティング
１２　コリメートレンズ
１３　対物レンズ
６０　プリズムの部分反射面
７０　プリズムの部分反射面
７０′　ハーフミラーの部分反射面
Ｌ１　第１のレーザ光
Ｌ２　第２のレーザ光
【図１】
2004014008.tif 000003
【図２】
2004014008.tif 000004
【図３】
2004014008.tif 000005
【図４】
2004014008.tif 000006